(57)【要約】【課題】ネットワーク機器の備えられていない店舗等であっても、デジタルサイネージと同等の効果を得ることの可能な表示装置等を提供すること。【解決手段】表示装置の一種であるプロジェクター１００が、計時情報を生成する計時部１１０と、前記計時情報と、記憶部１３０に記憶され、前記計時情報と再生対象データ２１０とが対応付けられた再生指示データ１３２に基づき、着脱可能な携帯型情報記憶媒体であるＵＳＢメモリー２００に記憶された複数種の再生対象データ２１０から適用する再生対象データ２１０を選択する選択部１２０と、選択部１２０によって選択された再生対象データ２１０に基づき、画像を生成する画像生成部１６０と、前記画像を表示する表示部の一種である投写部１９０を含んで構成される。【選択図】図１
2010190954.tif 000002
【特許請求の範囲】
【請求項１】
計時情報を生成する計時部と、
前記計時情報と、記憶部または着脱可能な携帯型情報記憶媒体に記憶され、前記計時情報と再生対象データとが対応付けられた再生指示データとに基づき、前記携帯型情報記憶媒体に記憶された複数種の再生対象データから適用する再生対象データを選択する選択部と、
当該選択部によって選択された再生対象データに基づき、画像を生成する画像生成部と、
前記画像を表示する表示部と、
を含む表示装置。
【請求項２】
請求項１に記載の表示装置において、
前記計時情報は、時刻、年月日、日時、時間帯、季節、曜日、経過時間のうちの少なくとも１つを示す情報である、
表示装置。
【請求項３】
請求項１、２のいずれかに記載の表示装置において、
前記計時部は、電波時計を含む、
表示装置。
【請求項４】
請求項１〜３のいずれかに記載の表示装置において、
前記画像生成部は、前記再生対象データの再生に関する指定情報を入力するための再生指示画像を生成し、
前記表示部は、前記再生指示画像を表示する、
表示装置。
【請求項５】
請求項４に記載の表示装置において、
前記指定情報を入力する入力部と、
前記指定情報に基づき、前記再生指示データを更新する更新部と、
を含む表示装置。
【請求項６】
コンピューターに、
計時情報を生成する計時ステップと、
前記計時情報と、記憶部または着脱可能な携帯型情報記憶媒体に記憶され、前記計時情報と再生対象データとが対応付けられた再生指示データとに基づき、前記携帯型情報記憶媒体に記憶された複数種の再生対象データから適用する再生対象データを選択する選択ステップと、
当該選択ステップによって選択された再生対象データに基づき、画像を生成する画像生成ステップと、を実行させるプログラム。
【請求項７】
コンピューターに読み取り可能なプログラムを記憶した情報記憶媒体であって、
請求項６に記載のプログラムを記憶した情報記憶媒体。
【発明の詳細な説明】
【技術分野】
【０００１】
本発明は、表示装置、プログラムおよび情報記憶媒体に関する。
【背景技術】
【０００２】
現在、デジタルサイネージと呼ばれる広告が行われている。一般的に、デジタルサイネージでは、表示装置がネットワークを介して広告情報を受信して広告画像を表示している。例えば、特開２００３−１６３９０２号公報では、情報配信装置から受信した広告情報を動画像と合成した動画像を表示することが記載されている。
【先行技術文献】
【特許文献】
【０００３】
【特許文献１】特開２００３−１６３９０２号公報
【発明の概要】
【発明が解決しようとする課題】
【０００４】
しかし、一般的なデジタルサイネージでは、ネットワークを使用しているためリアルタイムな操作が可能である反面、ネットワーク機器の備えられていない店舗やイベント会場では使用することができない。その上、一般的なデジタルサイネージでは、ネットワーク機器の導入に費用や時間がかかってしまう。また、ネットワーク機器の備えられていない店舗等では、ビデオテープやＤＶＤ等を用いた画像表示が行われている場合もある。しかし、このような場合、同じ映像が繰り返し表示されるため、デジタルサイネージと同等の効果を得ることはできない。
【０００５】
本発明の目的は、ネットワーク機器の備えられていない店舗等であっても、デジタルサイネージと同等の効果を得ることの可能な表示装置、プログラムおよび情報記憶媒体を提供することにある。
【課題を解決するための手段】
【０００６】
上記課題を解決するため、本発明に係る表示装置は、計時情報を生成する計時部と、前記計時情報と、記憶部または着脱可能な携帯型情報記憶媒体に記憶され、前記計時情報と再生対象データとが対応付けられた再生指示データとに基づき、前記携帯型情報記憶媒体に記憶された複数種の再生対象データから適用する再生対象データを選択する選択部と、当該選択部によって選択された再生対象データに基づき、画像を生成する画像生成部と、前記画像を表示する表示部と、を含むことを特徴とする。
【０００７】
また、本発明に係るプログラムは、コンピューターに、計時情報を生成する計時ステップと、前記計時情報と、記憶部または着脱可能な携帯型情報記憶媒体に記憶され、前記計時情報と再生対象データとが対応付けられた再生指示データとに基づき、前記携帯型情報記憶媒体に記憶された複数種の再生対象データから適用する再生対象データを選択する選択ステップと、当該選択ステップによって選択された再生対象データに基づき、画像を生成する画像生成ステップと、を実行させることを特徴とする。
【０００８】
また、本発明に係る情報記憶媒体は、コンピューターに読み取り可能なプログラムを記憶した情報記憶媒体であって、上記プログラムを記憶したことを特徴とする。
【０００９】
本発明によれば、表示装置等は、計時情報に応じて複数種の再生対象データから選択した再生対象データに基づいて画像を生成、表示することができる。これにより、表示装置等は、デジタルサイネージと同等の効果を得ることができる。
【００１０】
また、前記計時情報は、時刻、年月日、日時、時間帯、季節、曜日、経過時間のうちの少なくとも１つを示す情報であってもよい。
【００１１】
これによれば、表示装置等は、時刻等の情報に応じて選択した再生対象データに基づいて画像を生成、表示することができるため、デジタルサイネージと同等の効果を得ることができる。
【００１２】
また、前記計時部は、電波時計を含んでもよい。
【００１３】
これによれば、表示装置等は、より正確な時刻等で再生対象データに基づく画像を生成、表示することができる。
【００１４】
また、前記画像生成部は、前記再生対象データの再生に関する指定情報を入力するための再生指示画像を生成し、前記表示部は、前記再生指示画像を表示してもよい。
【００１５】
これによれば、ユーザーは、再生対象データの再生に関する指定を行うことができる。
【００１６】
また、前記表示装置は、前記指定情報を入力する入力部と、前記指定情報に基づき、前記再生指示データを更新する更新部と、を含んでもよい。
【００１７】
これによれば、表示装置は、再生対象データの再生に関する指定に応じて再生指示データを更新することができるため、より柔軟に時刻等に応じた再生を行うことができる。
【図面の簡単な説明】
【００１８】
【図１】第１の実施例におけるプロジェクターの機能ブロック図である。
【図２】第１の実施例における画像投写手順を示すフローチャートである。
【図３】第１の実施例における再生指示画像５００の一例を示す図である。
【図４】第２の実施例における液晶モニターの機能ブロック図である。
【図５】第２の実施例における画像表示手順を示すフローチャートである。
【発明を実施するための形態】
【００１９】
以下、本発明をプロジェクターと液晶モニターに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００２０】
（第１の実施例）
図１は、第１の実施例におけるプロジェクター１００の機能ブロック図である。表示装置の一種であるプロジェクター１００は、着脱可能な携帯型情報記憶媒体の一種であるＵＳＢメモリー２００に記憶された複数種の再生対象データ２１０から時刻に応じて再生対象データ２１０を選択する機能を有している。
【００２１】
具体的には、プロジェクター１００は、計時情報を生成する計時部１１０と、計時情報と再生対象データ２１０とが対応付けられた再生指示データ１３２等を記憶する記憶部１３０と、ＵＳＢメモリー２００に記憶された複数種の再生対象データ２１０から適用する再生対象データ２１０を選択する選択部１２０と、選択部１２０によって選択された再生対象データ２１０を入力するインターフェイス部１８０と、当該再生対象データ２１０に基づき、画像を生成する画像生成部１６０と、当該画像を表示する表示部の一種である投写部１９０を含んで構成されている。
【００２２】
また、プロジェクター１００は、ユーザーによる更新指示情報を入力する入力部１４０と、更新指示情報に基づいて再生指示データ１３２を更新する更新部１５０を含んで構成されている。
【００２３】
なお、プロジェクター１００は、これらの各部の機能を、以下のハードウェアを用いて実装してもよい。例えば、プロジェクター１００は、計時部１１０は電波時計等、選択部１２０、更新部１５０はＣＰＵ等、記憶部１３０は不揮発性メモリー等、入力部１４０はボタン、リモコン（リモートコントローラー）等、画像生成部１６０は画像処理回路等、インターフェイス部１８０は、ＵＳＢスロット、ＵＳＢインターフェイス等、投写部１９０はランプ、液晶パネル、投写レンズ等を用いて実装してもよい。
【００２４】
また、プロジェクター１００は、選択部１２０等の機能を情報記憶媒体３００に記憶されたプログラムを読み取って実装してもよい。このような情報記憶媒体３００としては、例えば、ＣＤ−ＲＯＭ、ＤＶＤ−ＲＯＭ、ＲＯＭ、ＲＡＭ、ＨＤＤ等を適用できる。
【００２５】
次に、これらの各部を用いた画像投写手順について説明する。図２は、第１の実施例における画像投写手順を示すフローチャートである。
【００２６】
ユーザーは、ＵＳＢメモリー２００をプロジェクター１００のＵＳＢスロットに挿入する。画像生成部１６０は、ＵＳＢメモリー２００の挿入またはユーザーの指示に応じて再生指示画像を生成し、投写部１９０は当該再生指示画像を投写する（ステップＳ１）。
【００２７】
図３は、第１の実施例における再生指示画像５００の一例を示す図である。再生指示画像５００は、ＵＳＢメモリー２００に記憶された再生対象データ２１０のファイル名を示す画像、再生対象データ２１０のインデックス画像、再生対象データ２１０の再生時間を示す画像、各再生対象データ２１０の再生指定時刻を指定させる時刻指定画像を含んで構成されている。
【００２８】
時刻指定画像は、再生しないという選択、再生指定時刻の選択、あるいは、再生指定時刻の直接入力が行えるように構成されている。ユーザーは、各再生対象データ２１０の再生の指定を行った後、再生指示画像５００内の「決定」を選択する。
【００２９】
入力部１４０は、「決定」が選択された時点の再生指示画像５００の状態（選択内容）に応じて再生対象データの再生に関する指定情報を入力する（ステップＳ２）。更新部１５０は、当該指定情報に応じて再生指示データ１３２を更新する（ステップＳ３）。なお、再生指示データ１３２の項目としては、例えば、ファイル名等の再生対象データ２１０の識別情報、再生指定時刻等の再生指定時等が該当する。
【００３０】
計時部１１０は、現在の時刻を示す計時情報を生成する（ステップＳ４）。選択部１２０は、当該時刻が再生指示データ１３２の再生指定時と適合（例えば、一致、超過、範囲内等）するかどうかを判定することにより、再生指定時刻になったかどうかを判定する（ステップＳ５）。
【００３１】
再生指定時刻になった場合、選択部１２０は、当該時刻に適合した再生指示データ１３２の識別情報に基づき、再生対象データ２１０を選択する（ステップＳ６）。インターフェイス部１８０は、当該再生対象データ２１０を入力し、画像生成部１６０は、当該再生対象データ２１０に基づき、画像（静止画像または動画像）を生成する（ステップＳ７）。投写部１９０は、当該画像を投写する（ステップＳ８）。
【００３２】
プロジェクター１００は、ユーザーによる終了指示があるかどうかを判定し（ステップＳ９）、終了すべきでない場合はステップＳ４〜Ｓ９の処理を繰り返し実行し、終了すべき場合は終了する。
【００３３】
以上のように、本実施例によれば、プロジェクター１００は、計時情報に応じて複数種の再生対象データ２１０から選択した再生対象データ２１０に基づいて画像を生成、表示することができる。これにより、プロジェクター１００は、デジタルサイネージと同等の効果を得ることができる。
【００３４】
特に、本実施例によれば、プロジェクター１００は、ネットワーク機器の備えられていない店舗や屋外等であっても、現在時刻に応じた画像の再生を行うことができるため、デジタルサイネージと同等の効果を得ることができる。
【００３５】
また、本実施例によれば、プロジェクター１００は、例えば、計時部１１０として電波時計を用いることにより、より正確な時刻等で再生対象データに基づく画像を生成、表示することができる。
【００３６】
また、本実施例によれば、プロジェクター１００は、再生指示画像５００を生成、投写することにより、ユーザーは、再生対象データ２１０の再生に関する指定を行うことができる。
【００３７】
また、本実施例によれば、プロジェクター１００は、再生対象データ２１０の再生に関する指定に応じて再生指示データ１３２を更新することができるため、より柔軟に時刻等に応じた再生を行うことができる。
【００３８】
（第２の実施例）
第１の実施例では、表示装置として、プロジェクター１００を適用したが、表示装置は、プロジェクター１００には限定されず、例えば、モニター、テレビ等であってもよい。また、第１の実施例では、再生指定時刻になった時のみ画像を生成、表示しているが、常に画像を生成、表示してもよい。また、計時情報で示される情報は、時刻には限定されず、例えば、時刻、年月日、日時、時間帯、季節、曜日、経過時間のうちの少なくとも１つを示す情報であってもよい。さらに、再生指示データがＵＳＢメモリーに記憶されてもよい。
【００３９】
次に、表示装置として液晶モニターが適用され、再生指示データがＵＳＢメモリーに記憶され、曜日に応じて画像が生成、表示される実施例について説明する。図４は、第２の実施例における液晶モニター４００の機能ブロック図である。
【００４０】
液晶モニター４００は、計時部４１０と、選択部４２０と、画像生成部４６０と、インターフェイス部４８０と、表示部４９０を含んで構成されている。また、ＵＳＢメモリー２０１は、再生対象データ２１０、再生指示データ２２０等を記憶している。これらの各部の構成は第１の実施例と同様であるため、説明を省略する。また、液晶モニター４００は、情報記憶媒体３０１からプログラムを読み取って選択部４２０等の機能を実装してもよい。
【００４１】
次に、これらの各部を用いた画像表示手順について説明する。図５は、第２の実施例における画像表示手順を示すフローチャートである。
【００４２】
ユーザーは、ＵＳＢメモリー２０１を液晶モニター４００のＵＳＢスロットに挿入する。なお、再生指示データ２２０は、例えば、曜日ごとの再生対象データ２１０を示すデータである。
【００４３】
計時部４１０は、曜日を示す計時情報を生成する（ステップＳ１１）。選択部４２０は、計時情報と再生指示データ２２０に基づき、曜日に応じて再生対象データ２１０を選択する（ステップＳ１２）。
【００４４】
インターフェイス部４８０は、当該再生対象データ２１０を入力し、画像生成部４６０は、当該再生対象データ２１０に基づき、画像を生成する（ステップＳ１３）。表示部４９０は、当該画像を表示する（ステップＳ１４）。
【００４５】
液晶モニター４００は、ユーザーによる終了指示があるかどうかを判定し（ステップＳ１５）、終了すべきでない場合はステップＳ１１〜Ｓ１５の処理を繰り返し実行し、終了すべき場合は終了する。
【００４６】
以上のように、本実施例によっても、液晶モニター４００は、第１の実施例と同様の作用効果を奏することができる。例えば、液晶モニター４００は、自動的に曜日に応じた再生対象を表示することができるため、曜日ごとのテレビドラマの宣伝等を自動的に行うことができる。
【００４７】
（その他の実施例）
なお、本発明の適用は上述した実施例に限定されず、種々の変形が可能である。例えば、再生対象データ２１０は、画像データだけでなく、音声データを含んでもよい。この場合、プロジェクター１００および液晶モニター４００は、再生指定時になった場合、画像表示だけでなく、再生対象データ２１０に応じた音声の生成および出力を行ってもよい。
【００４８】
また、上述した第１の実施例の構成と第２の実施例の構成を組み合わせてもよい。例えば、液晶モニター４００は、ユーザーに曜日ごとの再生対象データ２１０および再生指定時刻を設定させてもよい。
【００４９】
また、計時部１１０の構成は、電波時計には限定されず、例えば、プロジェクター１００等が、内部のタイマーを計時部１１０として用いる場合、電源切断から復帰した時に電波時計を用いて内部のタイマーのタイマー値を調整してもよい。
【００５０】
また、プロジェクター１００は、液晶プロジェクター（透過型、ＬＣＯＳ等の反射型）には限定されず、例えば、ＤＭＤ(Digital Micromirror Device)を用いたプロジェクター等であってもよい。なお、ＤＭＤは米国テキサス・インスツルメンツ社の商標である。また、プロジェクター１００や液晶モニター４００の機能を複数の装置（例えば、ＰＣとプロジェクター等）に分散して実装してもよい。
【符号の説明】
【００５１】
１００  プロジェクター（表示装置）、１１０、４１０  計時部、１２０、４２０  選択部、１３０  記憶部、１３２、２２０  再生指示データ、１４０  入力部、１５０  更新部、１６０、４６０  画像生成部、１８０、４８０  インターフェイス部、１９０  投写部（表示部）、２００、２０１  ＵＳＢメモリー、２１０  再生対象データ、３００、３０１  情報記憶媒体、４００  液晶モニター（表示装置）、４９０  表示部、５００  再生指示画像
【図１】
2010190954.tif 000003
【図２】
2010190954.tif 000004
【図３】
2010190954.tif 000005
【図４】
2010190954.tif 000006
【図５】
2010190954.tif 000007